【手続補正書】
【提出日】平成19年12月11日(2007.12.11)
【手続補正１】
【補正対象書類名】特許請求の範囲
【補正対象項目名】全文
【補正方法】変更
【補正の内容】
【特許請求の範囲】
【請求項１】
第一のコネクタの第一の流体通路に対する結合及び離脱を行うと共に、第二のコネクタを備えた装置に結合し、前記第一のコネクタと前記第二のコネクタとの間を流体連通させるための注射ポート組立体であって、
前記第一のコネクタと嵌合するように構成された第一の嵌合構造と、前記第一の嵌合構造に結合されており且つ前記第二のコネクタと嵌合するように構成された第二の嵌合構造と、
前記第一の嵌合構造と前記第二の嵌合構造との間に設けられており、前記第一の嵌合構造と前記第二の嵌合構造との間の流体の流れが遮断される第一の位置から前記第一の嵌合構造と前記第二の嵌合構造との間の流体の流れが許容される第二の位置へ移動可能な弾性バリアと、
を備え、前記弾性バリアがブーツバルブと隔壁とを含むと共に、前記隔壁が、下側錐台部と、肩部を規定する異なる直径の上側錐台部とを有し、前記上側錐台部が連続的な凸状表面を有することを特徴とする注射ポート組立体。
【請求項２】
前記弾性バリアが概略螺旋状の表面パターンを有する、請求項１に記載の注射ポート組立体。
【請求項３】
前記ブーツバルブ及び前記隔壁が前記注射ポートの組み立て前に中実針によって穿刺される、請求項２に記載の注射ポート組立体。
【請求項４】
前記針が約１．８３ｍｍの直径を有する、請求項３に記載の注射ポート組立体。
【請求項５】
前記第一の嵌合構造及び前記第二の嵌合構造を具備した本体をさらに備える、請求項１に記載の注射ポート組立体。
【請求項６】
第一のコネクタの第一の流体通路に対する結合及び離脱を行うと共に、第二のコネクタを備えた装置に結合し、前記第一のコネクタと前記第二のコネクタとの間を流体連通させるための注射ポート組立体であって、
前記第一のコネクタと嵌合するように構成された第一の嵌合構造と、前記第一の嵌合構造に結合されており且つ前記第二のコネクタと嵌合するように構成された第二の嵌合構造と、
前記第一の嵌合構造と前記第二の嵌合構造との間に設けられており、前記第一の嵌合構造と前記第二の嵌合構造との間の流体の流れが遮断される第一の位置から前記第一の嵌合構造と前記第二の嵌合構造との間の流体の流れが許容される第二の位置へ移動可能な弾性バリアと、
前記弾性バリア内に取り付けられ且つ潤滑剤によって被覆される粗面を有したスパイクと、
を備えることを特徴とする注射ポート組立体。
【請求項７】
第一のコネクタの第一の流体通路に対する結合及び離脱を行うと共に、第二のコネクタを備えた装置に結合し、前記第一のコネクタと前記第二のコネクタとの間を流体連通させるための注射ポート組立体であって、
前記第一のコネクタと嵌合するように構成された第一の嵌合構造と、前記第一の嵌合構造に結合されており且つ前記第二のコネクタと嵌合するように構成された第二の嵌合構造と、
前記第一の嵌合構造と前記第二の嵌合構造との間に設けられ、前記第一の嵌合構造と前記第二の嵌合構造との間の流体の流れが遮断される第一の位置から前記第一の嵌合構造と前記第二の嵌合構造との間の流体の流れが許容される第二の位置へ移動可能であり、ブーツバルブと、下側錐台部を有する隔壁とを含む弾性バリアと、
前記ブーツバルブ及び前記隔壁を軸線方向にセンタリングするためのセンタリング手段と、
を備え、前記センタリング手段が、前記下側錐台部を収容可能な寸法の第一のテーパ状開口と、滑らかな外周面とを有することを特徴とする注射ポート組立体。
【請求項８】
前記ブーツバルブが錐台状延長部を有し、前記センタリング手段が前記錐台状延長部を収容可能な寸法の第二のテーパ状開口を有する、請求項７に記載の注射ポート組立体。
【請求項９】
前記ブーツバルブと前記隔壁が機械的干渉により嵌合する、請求項２に記載の注射ポート組立体。
【請求項１０】
第一のコネクタの第一の流体通路に対する結合及び離脱を行うと共に、第二のコネクタを備えた装置から流体を受け取り前記第一の流体通路へ送るための注射ポート組立体であって、
ａ）前記第一のコネクタと嵌合するように構成された第一の嵌合構造を備えた第一の端部と、第二の端部とを有する本体と、
ｂ）前記本体に結合された第一の端部と穿通先端を備えた第二の端部とを有するシャフトを規定しており、前記第一の嵌合構造と互いに流体連通している中空スパイクと、
ｃ）前記スパイクを覆って延び且つ前記スパイクの前記先端の周りに先端部分を有しており、組み立て前に中実スチール針で事前穿孔される弾性バリアと、
ｄ）第一の端部と第二の端部とを有する中空コンポーネントであって、前記第一の端部が前記本体に結合され、該中空コンポーネントが前記スパイク及び前記弾性バリアの少なくとも一部の周りに延び、前記第二の端部が前記第二のコネクタに取り外し可能に結合するように構成された第二の嵌合構造を備える中空コンポーネントと、
を備え、
前記第二のコネクタが前記第二の嵌合構造に結合されると、前記第二のコネクタは事前穿孔された前記弾性バリアの前記先端部分を前記スパイクに押し付け、前記第二のコネクタと前記第一のコネクタが前記中空スパイク及び前記第一の嵌合構造を通じて互いに流体連通するようにさせることを特徴とする注射ポート組立体。
【請求項１１】
前記針が約１．８３ｍｍの直径を有し、前記スパイクが潤滑剤で被覆される粗面を有する、請求項１０に記載の注射ポート組立体。
【請求項１２】
前記弾性バリアが、機械的干渉により嵌合するブーツバルブと隔壁を含む、請求項１０に記載の注射ポート組立体。
【請求項１３】
前記隔壁が、下側錐台部と、肩部を規定する異なる直径の上側錐台部とを有し、前記上側錐台部が連続的な凸状表面を有する、請求項１２に記載の注射ポート組立体。
【請求項１４】
ｅ）前記スパイクに対して前記ブーツバルブ及び前記隔壁を軸線方向にセンタリングするためのセンタリング手段をさらに備え、
該センタリング手段が前記下側錐台部を収容可能な寸法の第一のテーパ状開口を有する、請求項１３に記載の注射ポート組立体。
【請求項１５】
前記ブーツバルブが錐台状延長部を有し、前記センタリング手段が前記錐台状延長部を収容可能な寸法の第二のテーパ状開口を有する、請求項１４に記載の注射ポート組立体。
【請求項１６】
第一のコネクタの第一の流体通路に対する結合及び離脱を行うと共に、第二のコネクタを備えた装置から流体を受け取り前記第一の流体通路へ送るための注射ポート組立体であって、
ａ）前記第一のコネクタと嵌合するように構成された第一の嵌合構造を備える第一の端部と、前記第二のコネクタに取り外し可能に結合するように構成された第二の嵌合構造を備える第二の端部とを有する本体と、
ｂ）前記本体に結合され且つ前記本体によって少なくとも部分的に取り囲まれており、穿通先端を有し、前記第一の嵌合構造と互いに流体連通している中空スパイクと、
ｃ）前記スパイクを覆って延び且つ前記スパイクの前記先端の周りに先端部分を有している第一の弾性バリアと、
ｄ）前記第一のバリアの前記先端部分を覆って設けられ且つ該第一のバリアの前記先端部分に接触しており、前記第一のバリアと機械的干渉により嵌合する第二の弾性バリアと、
を備え、
前記第二のコネクタが前記第二の嵌合構造に結合されると、前記第二のコネクタは流体変位無しに前記第二の弾性バリア及び前記第一の弾性バリアの前記先端部分を前記スパイクに押し付け、前記第二のコネクタと前記第一のコネクタが前記中空スパイク及び前記第一の嵌合構造を通じて互いに流体連通するようにさせることを特徴とする注射ポート組立体。
【請求項１７】
前記第二の弾性バリアが、下側錐台部と、肩部を規定する異なる直径の上側錐台部とを有し、前記上側錐台部が連続的な凸状表面を有する、請求項１６に記載の注射ポート組立体。
【請求項１８】
ｅ）前記スパイクに対して前記第一のバリア及び前記第二のバリアを軸線方向にセンタリングするためのセンタリング手段をさらに備え、
前記第二の弾性バリアが下側錐台部を有し、前記センタリング手段が前記下側錐台部を収容可能な寸法の第一のテーパ状開口を有する、請求項１６に記載の注射ポート組立体。
【請求項１９】
前記第一の弾性バリアが円錐台延長部を有し、前記センタリング手段が前記錐台状延長部を収容可能な寸法の第二のテーパ状開口を有する、請求項１８に記載の注射ポート組立体。
【請求項２０】
第一のコネクタの第一の流体通路に対する結合及び離脱を行うと共に、第二のコネクタを備えた装置から流体を受け取り前記第一の流体通路へ送るための注射ポート組立体であって、
ａ）前記第一のコネクタと嵌合するように構成された第一の嵌合構造を備える第一の端部と、前記第二のコネクタに取り外し可能に結合するように構成された第二の嵌合構造を備える第二の端部とを有する本体と、
ｂ）前記本体に結合され且つ前記本体によって少なくとも部分的に取り囲まれており、粗面加工外側表面を有し且つ潤滑剤で被覆されたシャフトと穿通先端とを有し、前記第一の嵌合構造と互いに流体連通している中空スパイクと、
ｃ）前記スパイクを覆って延び且つ前記スパイクの前記先端の周りに先端部分を有している弾性バリアと、
を備え、
前記第二のコネクタが前記第二の嵌合構造に結合されると、前記第二のコネクタは前記弾性バリアの前記先端部分を前記スパイクに押し付け、前記第二のコネクタと前記第一のコネクタが前記中空スパイク及び前記第一の嵌合構造を通じて互いに流体連通するようにさせることを特徴とする注射ポート組立体。
【請求項２１】
前記潤滑剤がフルオロシリコーンである、請求項２０に記載の注射ポート組立体。
【請求項２２】
第一のコネクタの第一の流体通路に対する結合及び離脱を行うと共に、第二のコネクタを備えた装置から流体を受け取り前記第一の流体通路へ送るための注射ポート組立体であって、
ａ）前記第一のコネクタと嵌合するように構成された第一の嵌合構造を備える第一の端部と、前記第二のコネクタに取り外し可能に結合するように構成された第二の嵌合構造を備える第二の端部とを有する本体と、
ｂ）前記本体に結合され且つ前記本体によって少なくとも部分的に取り囲まれており、穿通先端を有し、前記第一の嵌合構造と互いに流体連通している中空スパイクと、
ｃ）前記スパイクを覆って延び且つ前記スパイクの前記先端の周りに先端部分を有している第一の弾性バリアと、
ｄ）前記第一のバリアの前記先端部分を覆って設けられ且つ該第一のバリアの前記先端部分に接触しており、下側錐台部と肩部を規定する異なる直径の上側錐台部とを有し、前記上側錐台部が洗い流し可能な単一の連続的表面を有する第二の弾性バリアと、
を備え、
前記第二のコネクタが前記第二の嵌合構造に結合されると、前記第二のコネクタは前記第二の弾性バリア及び前記第一の弾性バリアの前記先端部分を前記スパイクに押し付け、前記第二のコネクタと前記第一のコネクタが前記中空スパイク及び前記第一の嵌合構造を通じて互いに流体連通するようにさせることを特徴とする注射ポート組立体。
【請求項２３】
第一のコネクタの第一の流体通路に対する結合及び離脱を行うと共に、第二のコネクタを備えた装置から流体を受け取り前記第一の流体通路へ送るための注射ポート組立体であって、
ａ）前記第一のコネクタと嵌合するように構成された第一の嵌合構造を備える第一の端部と、第二の端部とを有する本体と、
ｂ）前記本体に結合される第一の端部と穿通先端を備える第二の端部とを有するシャフトを規定しており、前記第一の嵌合構造と互いに流体連通している中空スパイクと、
ｃ）前記スパイクを覆って延びる弾性バリアと、
を備え、
前記第二のコネクタが前記第二の嵌合構造に結合されると、前記第二のコネクタは流体変位無しに前記弾性バリアを前記スパイクに押し付け、前記第二のコネクタと前記第一のコネクタが前記中空スパイク及び前記第一の嵌合構造を通じて互いに流体連通するようにさせることを特徴とする注射ポート組立体。
【請求項２４】
第一のコネクタの第一の流体通路に対する結合及び離脱を行うと共に、第二のコネクタを備えた装置から流体を受け取り前記第一の流体通路へ送るための注射ポート組立体であって、
ａ）前記第一のコネクタと嵌合するように構成された第一の嵌合構造を備える第一の端部と、第二の端部とを有する本体と、
ｂ）前記本体に結合される第一の端部と穿通先端を備える第二の端部とを有するシャフトを規定しており、前記第一の嵌合構造と互いに流体連通している中空スパイクと、
ｃ）前記スパイクを覆って延び且つ前記スパイクの前記先端の周りに先端部分を有する第一の弾性バリアと、
ｄ）前記第一のバリアの前記先端部分を覆って設けられ且つ該第一のバリアの前記先端部分に接触する第二の弾性バリアと、
を備え、
前記第一のバリアと前記第二のバリアとの間にデッドスペースがなく、且つ、前記第一のバリアの前記先端部分と前記スパイクの前記先端との間にデットスペースがないことを特徴とする注射ポート組立体。
【請求項２５】
ｅ）前記中空スパイクの前記第一の端部に結合される複数回投与用薬剤バイアルアダプタをさらに備える、請求項２４に記載の注射ポート組立体。
【請求項２６】
ｅ）前記中空スパイクの前記第一の端部に結合されるＹ字部位アダプタをさらに備える、請求項２４に記載の注射ポート組立体。
【請求項２７】
第一のコネクタの第一の流体通路に対する結合及び離脱を行うと共に、第二のコネクタを備えた装置から流体を受け取り前記第一の流体通路へ送るための注射ポート組立体であって、
ａ）前記第一のコネクタと嵌合するように構成された第一の嵌合構造を備える第一の端部と、第二の端部とを有する本体と、
ｂ）前記本体に結合された第一の端部と穿通先端を備えた第二の端部とを有するシャフトを規定しており、前記第一の嵌合構造と互いに流体連通している中空スパイクと、
ｃ）前記スパイクを覆って延びる弾性バリアと、
を備え、前記穿通先端は、先端が切り取られて開放先端になっており、
前記注射ポート組立体が、
前記本体の前記第一の端部に結合されるように構成された雄型ルアーと、
テーパ状貫通孔を有し、前記雄型ルアーに結合される細長い部材と、
前記雄型ルアーと前記細長い部材との間に取り付けられる穿孔可能な流体バリアと、
をさらに備えることを特徴とする注射ポート組立体。
【請求項２８】
流体通路を装置と結合及び離脱するための方法であって、
バルブを有した注射ポート組立体を前記流体通路に結合するステップと、
結合の際に、前記バルブが開かれて流体変位無しに前記装置を前記流体通路と流体連通させるように前記装置を前記注射ポート組立体に結合するステップと、
を含むことを特徴とする方法。
【請求項２９】
離脱の際に、前記装置が流体変位無しに前記流体通路と流体連通しないように前記装置を前記注射ポート組立体から離脱させるステップをさらに含む、請求項２８に記載の方法。
【請求項３０】
第一のコネクタの第一の流体通路に対する結合及び離脱を行うと共に、第二のコネクタを備えた装置に結合し、前記第一のコネクタと前記第二のコネクタとの間を流体連通させるための注射ポート組立体であって、
前記第一のコネクタと嵌合するように構成された第一の嵌合構造と、前記第一の嵌合構造に結合されており且つ前記第二のコネクタと嵌合するように構成された第二の嵌合構造と、
前記第一の嵌合構造と前記第二の嵌合構造との間に設けられており、前記第一の嵌合構造と前記第二の嵌合構造との間の流体の流れが遮断される第一の位置から前記第一の嵌合構造と前記第二の嵌合構造との間の流体の流れが許容される第二の位置へ移動可能な弾性バリアと、
を備え、前記弾性バリアが一体的に形成されたブーツバルブ及び隔壁であり、前記隔壁が前記ブーツバルブよりも厚い穿孔可能な部分を有し、前記弾性バリアが前記第一の位置から前記第二の位置まで移動させられるとき前記隔壁全体が移動させられるようになっていることを特徴とする注射ポート組立体。